(57)【特許請求の範囲】
【請求項１】
第１の住宅構成用ユニットの天井パネル上に配設された第１の空調ダクトと、
この第１の住宅構成用ユニットに隣接して配置される第２の住宅構成用ユニットの天井パネル上に配設された第２の空調ダクトと、
第１の空調ダクトの端部に装着されると共に、被係合部を有する第１のレジューサと、
第２の空調ダクトの端部に装着されると共に、前記被係合部に係合される係合部を有する第２のレジューサと、
を有し、
第１の住宅構成用ユニットの天井パネルが備える第１の天井大梁に設けられた第１の既設孔に前記第１のレジューサの先端側一部が貫通されると共に、第２の住宅構成用ユニットの天井パネルが備える第２の天井大梁に設けられた第２の既設孔に前記第２のレジューサの先端側一部が貫通され、
かつ、前記第１の住宅構成用ユニット及び前記第２の住宅構成用ユニットが設置された後に、前記第１の既設孔から突出された第１のレジューサの先端側一部と前記第２の既設孔から突出された第２のレジューサの先端側一部とが、前記被係合部に前記係合部を係合させることにより、相互に接続される、
ことを特徴とする空調ダクトの接続構造。
【請求項２】
前記第１の空調ダクトは、予め工場内で第１の住宅構成用ユニットの天井パネル上に空調機器に接続された状態で設置されている、
ことを特徴とする請求項１記載の空調ダクトの接続構造。
【請求項３】
前記第１の既設孔から突出された第１のレジューサの先端側一部と前記第２の既設孔から突出された第２のレジューサの先端側一部とは、前記第１の天井大梁と前記第２の天井大梁との間に形成された隙間において接続されており、
かつ当該接続部の外周には当該隙間に配設された断熱材が巻き込まれている、
ことを特徴とする請求項１又は請求項２記載の空調ダクトの接続構造。
【請求項４】
前記第１のレジューサの先端部は第１の空調ダクトに接続される大径部に比べて径方向寸法が小さくかつ第１の既設孔を貫通可能な小径部として構成されていると共に、
前記第２のレジューサの先端部は第２の空調ダクトに接続される大径部に比べて径方向寸法が小さくかつ第２の既設孔を貫通可能な小径部として構成されている、
ことを特徴とする請求項１〜請求項３のいずれか１項に記載の空調ダクトの接続構造。
【請求項５】
前記第１のレジューサ及び前記第２のレジューサは、樹脂成形によって形成されている、
ことを特徴とする請求項４記載の空調ダクトの接続構造。
【請求項６】
前記第１のレジューサの第１の空調ダクトへの接続端部の外周面には、第１の空調ダクトの端部の内側に挿入されて当該端部の内周壁に食い込むことで第１の空調ダクトの端部からの抜け止めを成す複数の環状突部が形成されていると共に、
前記第２のレジューサの第２の空調ダクトへの接続端部の外周面には、第２の空調ダクトの端部の内側に挿入されて当該端部の内周壁に食い込むことで第２の空調ダクトの端部からの抜け止めを成す複数の環状突部が形成されている、
ことを特徴とする請求項１〜請求項５のいずれか１項に記載の空調ダクトの接続構造。
【発明の詳細な説明】
【０００１】
【発明の属する技術分野】
本発明は、ユニット住宅に適用される空調ダクトの接続構造に関する。
【０００２】
【従来の技術及び発明が解決しようとする課題】
従来では、ユニット住宅に対する全館空調システムを現場施工によって行っていた。
【０００３】
というのも、ユニット住宅の構成単位となる住宅構成用ユニットの天井大梁の重量軽減孔の孔径は１００ｍｍφ以下であるのに対し、全館空調システムで使用される空調ダクトは風量等の関係で内径が１００ｍｍφ以上のものが使用される。このため、空調ダクトを天井大梁の重量軽減孔内へ挿通させることはできず、天井大梁を迂回するかたちで空調ダクトを配管していかなければならない。そのためには、住宅構成用ユニットの天井側に多くのダクトスペースを設ける必要がある。
【０００４】
図７に示される例では、住宅構成用ユニット１００の天井パネル１０２の下側にダクトスペース１０４が設けられている。この種のダクトスペース１０４を設ける場合、工場で予め住宅構成用ユニット１００を組み立てていく際に、ダクトスペース１０４用のフレームを取り付けておく。但し、工場組付するのはダクトスペース１０４用のフレームの取付までで、空調ダクト１０６をダクトスペース１０４内に納める配管作業や当該フレームに内装用のパネル類を取り付ける作業等は現場で行われる。
【０００５】
このようにユニット住宅に対して全館空調システムを適用しようとすると、天井大梁を迂回して空調ダクトを配管していく関係上、空調ダクトの配管・接続作業並びにこれに伴うパネル類の取付作業等をすべて現場作業にて行わなければならず、工場生産を主体とするユニット住宅の特長に逆行する結果となり、生産性を低下させていた。
【０００６】
本発明は上記事実を考慮し、現場作業を極力少なくすることにより生産性を向上させることができる空調ダクトの接続構造を得ることが目的である。
【０００７】
【課題を解決するための手段】
請求項１記載の本発明に係る空調ダクトの接続構造は、第１の住宅構成用ユニットの天井パネル上に配設された第１の空調ダクトと、この第１の住宅構成用ユニットに隣接して配置される第２の住宅構成用ユニットの天井パネル上に配設された第２の空調ダクトと、第１の空調ダクトの端部に装着されると共に、被係合部を有する第１のレジューサと、第２の空調ダクトの端部に装着されると共に、前記被係合部に係合される係合部を有する第２のレジューサと、を有し、第１の住宅構成用ユニットの天井パネルが備える第１の天井大梁に設けられた第１の既設孔に前記第１のレジューサの先端側一部が貫通されると共に、第２の住宅構成用ユニットの天井パネルが備える第２の天井大梁に設けられた第２の既設孔に前記第２のレジューサの先端側一部が貫通され、かつ、前記第１の住宅構成用ユニット及び前記第２の住宅構成用ユニットが設置された後に、前記第１の既設孔から突出された第１のレジューサの先端側一部と前記第２の既設孔から突出された第２のレジューサの先端側一部とが、前記被係合部に前記係合部を係合させることにより、相互に接続される、ことを特徴としている。
【０００８】
請求項２記載の本発明は、請求項１記載の空調ダクトの接続構造において、前記第１の空調ダクトは、予め工場内で第１の住宅構成用ユニットの天井パネル上に空調機器に接続された状態で設置されている、ことを特徴としている。
請求項３記載の本発明は、請求項１又は請求項２記載の空調ダクトの接続構造において、前記第１の既設孔から突出された第１のレジューサの先端側一部と前記第２の既設孔から突出された第２のレジューサの先端側一部とは、前記第１の天井大梁と前記第２の天井大梁との間に形成された隙間において接続されており、かつ当該接続部の外周には当該隙間に配設された断熱材が巻き込まれている、ことを特徴としている。
請求項４記載の本発明は、請求項１〜請求項３のいずれか１項に記載の空調ダクトの接続構造において、前記第１のレジューサの先端部は第１の空調ダクトに接続される大径部に比べて径方向寸法が小さくかつ第１の既設孔を貫通可能な小径部として構成されていると共に、前記第２のレジューサの先端部は第２の空調ダクトに接続される大径部に比べて径方向寸法が小さくかつ第２の既設孔を貫通可能な小径部として構成されている、ことを特徴としている。
請求項５記載の本発明に係る空調ダクトの接続構造は、請求項４記載の空調ダクトの接続構造において、前記第１のレジューサ及び前記第２のレジューサは、樹脂成形によって形成されている、ことを特徴としている。
請求項６記載の本発明は、請求項１〜請求項５のいずれか１項に記載の空調ダクトの接続構造において、前記第１のレジューサの第１の空調ダクトへの接続端部の外周面には、第１の空調ダクトの端部の内側に挿入されて当該端部の内周壁に食い込むことで第１の空調ダクトの端部からの抜け止めを成す複数の環状突部が形成されていると共に、前記第２のレジューサの第２の空調ダクトへの接続端部の外周面には、第２の空調ダクトの端部の内側に挿入されて当該端部の内周壁に食い込むことで第２の空調ダクトの端部からの抜け止めを成す複数の環状突部が形成されている、ことを特徴としている。
【０００９】
請求項１記載の本発明によれば、第１の住宅構成用ユニットの天井パネル上に配設された第１の空調ダクトの端部には第１のレジューサが装着されると共に、第１の住宅構成用ユニットに隣接して配置された第２の住宅構成用ユニットの天井パネル上に配設された第２の空調ダクトの端部には第２のレジューサが装着される。さらに、第１の空調ダクトの端部には第１のレジューサが装着されており、この第１のレジューサの先端側一部が第１の天井大梁に設けられた第１の既設孔内へ貫通される。同様に、第２の空調ダクトの端部には第２のレジューサが装着されており、この第２のレジューサの先端側一部が第２の天井大梁に設けられた第２の既設孔内へ貫通される。そして、第１のレジューサが備える被係合部に第２のレジューサが備える係合部を係合させることにより、第１の空調ダクトの第１のレジューサと第２の空調ダクトの第２のレジューサとが水平方向に相互に接続される。
【００１０】
第１のレジューサの第１の空調ダクトの端部への装着作業及び第２のレジューサの第２の空調ダクトの端部への装着作業を工場内で予め行っておくか、現場で行うかは任意であるが、仮に工場内で予め行うこととすれば、現場では第１のレジューサと第２のレジューサとの接続作業だけを行えばよいことになる。
【００１１】
また、第１のレジューサ及び第２のレジューサは各第１の天井大梁の第１の既設孔及び第２の天井大梁の第２の既設孔をそれぞれ通されて相互に接続される、言い換えれば従来のように天井大梁を迂回して空調ダクトが配管される訳ではないので、天井側にダクトスペースを設ける必要がなくなる。従って、天井側にも多くのダクトスペースを設ける従来方式の場合に比し、ダクトスペースのフレームへのパネル類の取付作業も不要となる。
【００１４】
【発明の実施の形態】
以下、図１〜図６を用いて、本発明に係る空調ダクトの接続構造の一実施形態について説明する。
〔ユニット間のダクト接続構造〕
最初に、図１〜図４を用いて、同一階において隣接する住宅構成用ユニット間で空調ダクトを水平方向に接続する場合について説明する。
【００１５】
図４には、ユニット住宅の構成単位となる第１の住宅構成用ユニット１０が簡略的に示されている。この図に示されるように、第１の住宅構成用ユニット１０の天井パネル１２上には、第１の空調ダクト１４が配管されている。なお、本実施形態では、第１の空調ダクト１４として、内側から内表皮（塩化ポリエチレンフィルム）及び保持鋼線（被覆硬鋼線）、断熱材（グラスファイバー断熱材）、外表皮（ガラス繊維強化アルミニウム蒸着ポリエチレンフィルム）の順に配置された多層構造のダクト材が使用されているが、これは一例に過ぎず、種々の構成のダクト材が使用可能である。
【００１６】
第１の空調ダクト１４の一端部１４Ａには、天井用吹出チャンバー等の空調機器１６が接続されている。また、第１の空調ダクト１４の他端部１４Ｂには、図３に示される第１のレジューサ（片落管）１８が装着されている。第１のレジューサ１８は、円筒状に形成されかつ外周部に複数の環状突部２０が形成された大径部１８Ａと、この大径部１８Ａから円錐状に一体形成された縮径部１８Ｂと、この縮径部１８Ｂから延出された小径部１８Ｃとによって構成されている。さらに、第１のレジューサ１８の小径部１８Ｃの周方向の所定位置には、一又は二以上の被係合部２２が形成されている。
【００１７】
図２には、上述した第１の住宅構成用ユニット１０と第２の住宅構成用ユニット２４とが同一階において隣接して設置された状態が示されている。この図に示されるように、第２の住宅構成用ユニット２４の天井パネル２６上にも、第１の空調ダクト１４と同様構成の第２の空調ダクト２８が配管されている。第２の空調ダクト２８の一端部２８Ａにも、第１のレジューサ１８と同様構成の（即ち、大径部３０Ａ、縮径部３０Ｂ、及び小径部３０Ｃによって構成された）第２のレジューサ（片落管）３０が装着されている。さらに、第２のレジューサ３０の小径部３０Ｃの周方向の所定位置には、第１のレジューサ１８の被係合部２２に係合可能な一又は二以上の係合部３２が形成されている。
【００１８】
なお、係合部３２及び被係合部２２としては、種々の構成を採用することができる。例えば、第２のレジューサ３０の小径部３０Ｃに弾性変形可能な係合爪を設けると共に、第１のレジューサ１８の小径部１８Ｃに係合爪が係合可能な凹部や開口を設けるといった構成を採用してもよいし、ロック状態及びロック解除状態にすることができる別部品からなるロック機構を両者に付加する構成を採ってもよい。
【００１９】
図１には、第１の空調ダクト１４と第２の空調ダクト２８とが、同一階において隣接する第１の住宅構成用ユニット１０と第２の住宅構成用ユニット２４との間で水平方向に接続された状態が拡大して示されている。この図に示されるように、第１の住宅構成用ユニット１０の天井パネル１２が備える第１の天井大梁としての天井大梁３４には、適宜間隔で第１の既設孔としての重量軽減孔３６が形成されている。同様に、第２の住宅構成用ユニット２４の天井パネル２６が備える第２の天井大梁としての天井大梁３８にも、適宜間隔で第２の既設孔としての重量軽減孔４０が形成されている。なお、これらの重量軽減孔３６、４０の内径は、通常は１００ｍｍφ以下である。
【００２０】
上記第１の住宅構成用ユニット１０側の天井大梁３４の重量軽減孔３６へは、第１のレジューサ１８の小径部１８Ｃが挿通されている。また、第２の住宅構成用ユニット２４側の天井大梁３８の重量軽減孔４０へは、第２のレジューサ３０の小径部３０Ｃが挿通されている。なお、本実施形態では、一例として、大径部１８Ａ、３０Ａの外径がいずれも１５０ｍｍφで、小径部３０Ｃの外径が５０ｍｍφ、小径部１８Ｃの外径が５０ｍｍφ＋α（＝２ｍｍ程度の板厚）のレジューサが用いられている。
【００２１】
そして、第１の住宅構成用ユニット１０側の天井大梁３４と第２の住宅構成用ユニット２４の天井大梁３８との隙間４２において、第１のレジューサ１８の小径部１８Ｃ内へ第２のレジューサ３０の小径部３０Ｃが嵌合され、被係合部２２に係合部３２が係合されている。さらに、一対の天井大梁３４、３８間の隙間４２に位置する第１のレジューサ１８の小径部１８Ｃ及び第２のレジューサ３０の小径部３０Ｃの外周には第１の空調ダクト１４、第２の空調ダクト２８と同様材質の断熱材４４が巻き込まれている。これにより、第１の空調ダクト１４の他端部１４Ｂと第２の空調ダクト２８の一端部２８Ａとが第１のレジューサ１８及び第２のレジューサ３０を介して相互に接続されている。
【００２２】
なお、本実施形態で使用した第１のレジューサ１８及び第２のレジューサ３０について補足すると、これらの第１のレジューサ１８及び第２のレジューサ３０は板厚をできるだけ薄く（前述したように板厚は２ｍｍ程度であり、既存のものよりも薄い）するため、樹脂成形によって形成されている。板厚をできるだけ薄くした理由は、以下の通りである。すなわち、本実施形態では、天井大梁３４、３８の重量軽減孔３６、４０内へ第１のレジューサ１８、第２のレジューサ３０の小径部１８Ｃ、３０Ｃを挿通させて接続する構成を採るため、接続部位で風量が絞られることになる。従って、できるだけ風量を多く確保するためには、第１のレジューサ１８、第２のレジューサ３０の板厚を薄くする必要があり、そのために樹脂成形品を使用することとしたものである。
〔ダクト同士の接続構造〕
次に、図５及び図６を用いて、空調ダクトを垂直方向に接続する場合について説明する。なお、この場合の構成は、本発明の実施形態ではなく、参考例とする。
【００２３】
図６には、第３の住宅構成用ユニット４６と第４の住宅構成用ユニット４８とが上下（ユニット高さ方向）に隣接して設置された状態が示されている。第３の住宅構成用ユニット４６の天井パネル５０上にも、第１の空調ダクト１４と同様構成の第３の空調ダクト５２が配管されている。第３の空調ダクト５２の一端部５２Ａ側は、第４の住宅構成用ユニット４８の床パネル側に形成された開口部５４から、ユニット高さ方向に沿って設けられたダクトスペース５６内へ引き出されている。さらに、第３の空調ダクト５２の一端部５２Ａには、図５に示されるニップル５８の一端部５８Ａが装着されている。なお、ニップル５８の一端部５８Ａの外周部には環状のフランジ部６０が形成されており、第３の空調ダクト５２の一端部５２Ａの内側に装着された止め金具６２に係止されることにより抜け止めされている。
【００２４】
一方、第４の住宅構成用ユニット４８の天井パネル６４上にも、第１の空調ダクト１４と同様構成の第４の空調ダクト６６が配管されている。第４の空調ダクト６６の一端部６６Ａには、上述した第３の空調ダクト５２の一端部５２Ａに装着されたニップル５８の他端部５８Ｂが装着されるようになっている。なお、ニップル５８の他端部５８Ｂの外周部にも環状のフランジ部６８が形成されており、第４の空調ダクト６６の一端部６６Ａの内側に装着された図示しない止め金具に係止されることにより抜け止めされるようになっている。これにより、第３の空調ダクト５２と第４の空調ダクト６６とがニップル５８を介して垂直方向に相互に接続されている。
【００２５】
次に、本実施形態の作用並びに効果について説明する。
【００２６】
第１の住宅構成用ユニット１０乃至第４の住宅構成用ユニット４８を含む住宅構成用ユニットは、すべて予め工場生産される。本実施形態では、工場生産過程において、ダクト部品の組付まで行われる。具体的には、第１の住宅構成用ユニット１０であれば、天井パネル１２に空調機器１６が配設されると共に第１の空調ダクト１４も配管される。このとき、第１の空調ダクト１４の他端部１４Ｂには、第１のレジューサ１８を予め装着させておく。また、第２の住宅構成用ユニット２４であれば、天井パネル２６上に第２の空調ダクト２８が配管されると共に、その一端部２８Ａには第２のレジューサ３０が予め装着される。なお、第１のレジューサ１８を第１の空調ダクト１４の他端部１４Ｂに装着させる際、第１のレジューサ１８の環状突部２０は抜け止め防止用の止め金具として機能する。この点は、第２のレジューサ３０についても同様である。
【００２７】
また、第３の住宅構成用ユニット４６であれば、天井パネル５０上に第３の空調ダクト５２が配管されると共に、その一端部５２Ａにはニップル５８の一端部５８Ａが予め装着される。なお、前述した止め金具６２は、第３の空調ダクト５２の一端部５２Ａにニップル５８の一端部５８Ａを装着する際に嵌め込まれる。さらに、第４の空調ダクト６６であれば、天井パネル６４上に第４の空調ダクト６６が配管される。
【００２８】
上記の如くして工場組付が終了した第１の住宅構成用ユニット１０乃至第４の住宅構成用ユニット４８を含む住宅構成用ユニットは、搬送車両によって現場へ搬入される。現場へ搬入されたこれらの住宅構成用ユニットは、クレーンで吊り上げられて所定の位置へ順次据え付けられていく。
【００２９】
このユニット据付時において、第１の空調ダクト１４と第２の空調ダクト２８との接続作業の第１段階並びに第３の空調ダクト５２と第４の空調ダクト６６との接続作業の第１段階がそれぞれが行われる。
【００３０】
最初に前者について説明すると、第１の住宅構成用ユニット１０の天井パネル１２上に配管された第１の空調ダクト１４に装着された第１のレジューサ１８の小径部１８Ｃが天井大梁３４の重量軽減孔３６内へ挿入される。また、第２の住宅構成用ユニット２４の天井パネル２６上に配管された第２の空調ダクト２８に装着された第２のレジューサ３０の小径部３０Ｃが天井大梁３４の重量軽減孔４０内へ挿入される。そして、第１のレジューサ１８の小径部１８Ｃ内へ第２のレジューサ３０の小径部３０Ｃが差し込まれ、被係合部２２へ係合部３２が係合される。
【００３１】
被係合部２２へ係合部３２が係合された状態というのは、第１のレジューサ１８と第２のレジューサ３０とを隣り合う天井大梁３４、３８間の隙間４２において接続された状態を一時的に保持するための仮止め的な状態といえる。その意味では、被係合部２２及び係合部３２は広義には、「仮止め手段」として把握される要素でもある。
【００３２】
次に後者について説明すると、第３の住宅構成用ユニット４６の天井パネル５０上に配管された第３の空調ダクト５２の一端部５２Ａ側を、第４の住宅構成用ユニット４８の床パネルに形成された開口部５４からダクトスペース５６内へ引き出しておく。また、第４の住宅構成用ユニット４８の天井パネル６４上に配管された第４の空調ダクト６６の一端部６６Ａ側も、天井パネル６４に形成された開口部７０からダクトスペース５６内へ引き出しておく。
【００３３】
ここまでがユニット据付時に行われる作業である。
【００３４】
次に、内装工事時に仕上げ、つまり第１の空調ダクト１４と第２の空調ダクト２８との接続作業の第２段階並びに第３の空調ダクト５２と第４の空調ダクト６６との接続作業の第２段階がそれぞれが行われる。
【００３５】
最初に前者について説明すると、仮止め状態にある第１のレジューサ１８の小径部１８Ｃと第２のレジューサ３０の小径部３０Ｃとの接続部位の外周部に断熱材４４を巻き込む作業が行われる。この作業を終えることにより、第１の空調ダクト１４と第２の空調ダクト２８との水平方向への接続作業が完了する。
【００３６】
なお、前述した如く、第１のレジューサ１８の小径部１８Ｃと第２のレジューサ３０の小径部３０Ｃとを天井大梁３４、３８間の隙間４２において仮止めする理由は、第１のレジューサ１８及び第２のレジューサ３０が当該隙間４２から天井パネル１２、２６上へずれて、内装工事の際に断熱材４４を巻き込む作業ができなくなるのを防止するためである。
【００３７】
次に後者について説明すると、ダクトスペース５６内へ引き出された第３の空調ダクト５２の一端部５２Ａと第４の空調ダクト６６の一端部６６Ａとのニップル５８による接続作業が行われる。ニップル５８の一端部５８Ａは第３の空調ダクト５２の一端部５２Ａに予め工場組付けされているので、実際に現場で行うのはニップル５８の他端部５８Ｂと第４の空調ダクト６６の一端部６６Ａとの接続作業である。具体的には、第４の空調ダクト６６の一端部６６Ａの外表皮及び断熱材をめくり、内表皮（インナーコア）にニップル５８の他端部５８Ｂを差し込んで、フランジ部６８に止め金具６２を装着した後、外表皮及び断熱材を元の状態に戻して図示しないダクトテープで固定する。この作業を終えることにより、第３の空調ダクト５２と第４の空調ダクト６６との垂直方向への接続作業が完了する。
【００３８】
このように本実施形態では、空調ダクトを水平方向へ接続する場合には、予め工場作業にて、第１の空調ダクト１４の他端部１４Ｂに第１のレジューサ１８を装着すると共に第２の空調ダクト２８の一端部２８Ａに第２のレジューサ３０を装着しておくことにより、現場ではユニット据付時に第１のレジューサ１８と第２のレジューサ３０を各天井大梁３４、３８の重量軽減孔３６、４０内へそれぞれ挿通させて相互に接続する作業を行い、内装工事時に断熱材４４の巻き込み作業を行うだけでよくなる。しかも、第１のレジューサ１８と第２のレジューサ３０との接続作業は、被係合部２２に係合部３２を係合させるワンタッチ作業である。
【００３９】
一方、空調ダクトを垂直方向へ接続する場合には、予め工場作業にて、第３の空調ダクト５２の一端部５２Ａにニップル５８の一端部５８Ａを装着しておくことにより、現場ではユニット据付時に第３の空調ダクト５２の一端部５２Ａ側及び第４の空調ダクト６６の一端部６６Ａ側をダクトスペース５６内へそれぞれ引き出す作業を行い、内装工事時にニップル５８の他端部５８Ｂと第４の空調ダクト６６の一端部６６Ａとの接続作業を行うだけでよくなる。
【００４０】
これらのことから、本実施形態によれば、ユニット住宅に対して全館空調システムを適用する場合の現場作業を大幅に削減することができる。換言すれば、本実施形態によれば、ユニット工法に合わせてダクト配管をシステム化することができる。その結果、本実施形態によれば、生産性を著しく向上させることができる。
【００４１】
また、本実施形態によれば、天井側にダクトスペースを設置する必要がなくなるので、居室内空間を拡げることができる。その結果、居室内空間の有効利用を図ることができると共に、居住者に圧迫感を感じさせることもなくなる。また、天井側にダクトスペースを設ける必要がなくなることから、部品点数及び組付工数もかなり削減される。従って、コストダウンに資することができる。
【００４２】
さらに、上記の如く、現場作業を大幅に削減することができるため、工期の短縮化を図ることができる。この点も、コストダウン効果をもたらす。
【００４３】
加えて、本実施形態によれば、空調ダクトも工場組付とすることができるので、品質管理が容易になる。
【００４４】
また、上述したように本実施形態に係る第１のレジューサ１８及び第２のレジューサ３０は重量軽減孔３６、４０を通りかつ風量が少しでも減らないようにとの配慮から樹脂成形によって薄型に形成されており、更に第１の空調ダクト１８及び第２の空調ダクト２８に対する抜け止め機能を発揮する環状突部２０も当該機能が最も効果的に発揮されるような形状に容易に形成することができるのも樹脂成形によるメリットである。
【００４５】
なお、本実施形態では、第１のレジューサ１８の装着作業及び第２のレジューサ３０の装着作業並びにニップル５８の一端部５８Ａの装着作業を工場内で行うこととしたが、これに限らず、これらの作業を現場で行うようにしてもよい。
【００４６】
また、本実施形態では、二階建てのユニット住宅を例にして空調ダクト同士を垂直方向に接続する場合を説明したが、三階建てのユニット住宅についても本発明は適用可能である。この場合、一階側の住宅構成用ユニットの天井パネル上に配管された空調ダクトの一端部と三階側の住宅構成用ユニットの天井パネル上に配管された空調ダクトの一端部との間に中間の空調ダクトを設置して、これらの相互接続にニップルを使うようにしてもよい。
【００４７】
【発明の効果】
以上説明したように請求項１記載の本発明に係る空調ダクトの接続構造は、空調ダクトを水平方向に接続する場合には、第１の空調ダクトの端部に第１のレジューサを装着すると共に第２の空調ダクトの端部に第２のレジューサを装着し、これらの第１のレジューサの先端側一部と第２のレジューサの先端側一部とを第１の天井大梁と第２の天井大梁のそれぞれに設けられた第１の既設孔と第２の既設孔を通して被係合に係合部を係合させることにより相互に接続することとしたので、現場作業を極力少なくすることができ、これにより生産性を向上させることができるという優れた効果を有する。
【００４８】
請求項２記載の本発明に係る空調ダクトの接続構造は、空調ダクトを垂直方向に接続する場合には、一方の空調ダクトの端部と他方の空調ダクトの端部とをニップルを介して相互に接続することとしたので、現場作業を極力少なくすることができ、これにより生産性を向上させることができるという優れた効果を有する。
【図面の簡単な説明】
【図１】本実施形態の要部に係り、第１の空調ダクトと第２の空調ダクトとが第１のレジューサ及び第２のレジューサを介して隣接するユニット間で水平方向に相互に接続された状態を示す図２の１線矢視部の拡大断面図である。
【図２】第１の住宅構成用ユニットと第２の住宅構成用ユニットとが同一階において隣接して配置された状態を示す斜視図である。
【図３】図１に示される第１のレジューサ及び第２のレジューサを単体で示す正面図である。
【図４】図２に示される第１の住宅構成用ユニットの天井パネル上に空調ダクトが配管された状態を示す斜視図である。
【図５】本実施形態の要部に係り、第３の空調ダクトと第４の空調ダクトとがニップルを介して垂直方向に相互に接続される際の様子を示す図６の５線矢視部の拡大断面図である。
【図６】第３の住宅構成用ユニットと第４の住宅構成用ユニットとがユニット高さ方向に隣接して配置された状態を示す斜視図である。
【図７】従来の全館空調システムによる場合に必要となった天井側のダクトスペースを示す斜視図である。
【符号の説明】
１０    第１の住宅構成用ユニット
１４    第１の空調ダクト
１８    第１のレジューサ
１８Ａ 大径部
１８Ｃ 小径部
２０ 環状突起
２２ 被係合部
２４    第２の住宅構成用ユニット
２８    第２の空調ダクト
３０    第２のレジューサ
３０Ａ 大径部
３０Ｃ 小径部
３２ 係合部
３４    天井大梁（第１の天井大梁）
３６    重量軽減孔（第１の既設孔）
３８    天井大梁（第２の天井大梁）
４０    重量軽減孔（第２の既設孔）
４４ 断熱材
【図１】
0004238413.tif 000002
【図２】
0004238413.tif 000003
【図３】
0004238413.tif 000004
【図４】
0004238413.tif 000005
【図５】
0004238413.tif 000006
【図６】
0004238413.tif 000007
【図７】
0004238413.tif 000008